(57)【要約】      （修正有）【課題】歯茎の部位および歯茎以外の口腔内部位の両方の部位において、マッサージが可能な口腔内マッサージ器を提供する。【解決手段】口腔内マッサージ器１０は、２種の口腔内マッサージ用アタッチメント２０と該アタッチメントに振動を付与することができる把持部３０とからなる口腔内マッサージ器１０であって、該把持部には前記２種の口腔内マッサージ用アタッチメント２０を交換可能に装着することができる。【選択図】図２
0003187462.tif 000002
【実用新案登録請求の範囲】
【請求項１】
２種の口腔内マッサージ用アタッチメントと該アタッチメントに振動を付与することができる把持部とからなる口腔内マッサージ器であって、該把持部には前記２種の口腔内マッサージ用アタッチメントが交換可能に装着できることを特徴とする口腔内マッサージ器。
【請求項２】
前記２種の口腔内マッサージ用アタッチメントのうち、１種の口腔内マッサージ用アタッチメントは、ヘッド部が片側表面に複数の突起あるいは凹凸が設けられているシリコン材からなり、前記２種の口腔内マッサージ用アタッチメントのうち、他の１種の口腔内マッサージ用アタッチメントは、ヘッド部が球形のステンレス鋼材からなることを特徴とする、請求項１に記載の口腔内マッサージ器。
【考案の詳細な説明】
【技術分野】
【０００１】
本考案は、振動を付与しつつ口腔内をマッサージする口腔内マッサージ器に関する。
【背景技術】
【０００２】
口腔内をマッサージする装置として、例えば特許文献１に記載されたものが知られている。
この口腔内マッサージ器は、握りの部分が振動器となっており、振動器に取り付けられた柄を振動させて歯茎をマッサージすることにより、歯周病等を治療するものある。
【０００３】
歯肉や歯周組織は毛細血管が密集し、血流が停滞しやすいが、歯茎をマッサージして血流を増大させることで、歯周病等の歯のトラブルを防止する効果が得られると考えられている。
このように、従来の口腔内マッサージ器は、歯茎部の部位をマッサージすることにより、歯周病等を治療することにとどまるものであった。
【０００４】
しかし、近年、歯茎のマッサージだけでなく、口腔の普段使わない筋肉や口腔内の粘膜（咬筋やほうれい線）を伸ばしてストレッチすることにより、リラクゼーションする効果や、ほうれい線や口角の下がりを防止するなどの皮膚の老化防止効果があり、歯茎のマッサージや歯茎以外の口腔内のマッサージが、口腔内の血流を良好にするとともに、口腔の筋肉や口腔内の粘膜をストレッチすることで、歯周病予防効果のみならず、リラックス効果や美容効果のあることが注目されている。
【先行技術文献】
【特許文献】
【０００５】
【特許文献１】実開昭６３−１６３８２８号公報
【考案の概要】
【考案が解決しようとする課題】
【０００６】
このような効果を得るためには、歯茎の部位や歯茎以外の口腔内部位の両方において、きめ細かいマッサージが有効であるが、従来、歯茎の部位および歯茎以外の口腔内部位の両方を効果的にマッサージするのに好適な口腔内マッサージ器はなかった。
本考案は、歯茎の部位および歯茎以外の口腔内部位の両方を効果的にマッサージすることできる口腔内マッサージ器を提供することを目的とする。
【課題を解決するための手段】
【０００７】
本考案は、上記の課題を解決するため、以下の手段を採用する。
［１］２種の口腔内マッサージ用アタッチメントと該アタッチメントに振動を付与する
ことができる把持部とからなる口腔内マッサージ器であって、該把持部には前記
２種の口腔内マッサージ用アタッチメントが交換可能に装着できることを特徴と
する口腔内マッサージ器。
［２］前記２種の口腔内マッサージ用アタッチメントのうち、１種の口腔内マッサージ
用アタッチメントは、ヘッド部が片側表面に複数の突起あるいは凹凸が設けられ
ているシリコン材からなり、前記２種の口腔内マッサージ用アタッチメントのう
ち、他の１種の口腔内マッサージ用アタッチメントは、ヘッド部が球形のステン
レス鋼材からなることを特徴とする、［１］に記載の口腔内マッサージ器。
【考案の効果】
【０００８】
本考案の口腔内マッサージ器によれば、２種の口腔内マッサージ用アタッチメントを交換して使用することにより、歯茎の部位および歯茎以外の口腔内部位の両方に対して、マッサージをすることができる。このようなマッサージにより口腔内の血流を良好にし、また頬部の筋肉や口腔内の粘膜をストレッチすることで、歯周病予防のみならず、リラックス効果や美容効果をもたらす。
【図面の簡単な説明】
【０００９】
【図１】本考案の一実施形態について、口腔内マッサージ器の斜視図を示す。
【図２】本考案の一実施形態について、口腔内マッサージ器の構造を模式的に示す。
【図３】本考案のアッタチメントの一実施形態を示す。（ａ）は側面図、（ｂ）は正面図。
【図４】本考案のアッタチメントの他の一実施形態を示す。
【考案を実施するための形態】
【００１０】
以下、本考案の口腔内マッサージ器を図面に基づいて説明する。
図１に口腔内マッサージ器１０の一実施形態の斜視図を、また図２にその全体構成を示す。
口腔内マッサージ器１０は、口腔内マッサージ用アタッチメント２０と該アタッチメントに振動を与える把持部３０からなる。
以下において、口腔内マッサージ器の長手方向において、口腔内マッサージ用アタッチメントがある側を上側とし、把持部がある側を下側と表現する。また、口腔内マッサージ用アタッチメントを単にアタッチメントということがある。
【００１１】
口腔内マッサージ用アタッチメント２０は、上側先端に設けられた口腔内をマッサージするヘッド部２１とヘッド部を支持する支持部２２とからなる。
支持部２２は、合成樹脂製であり、ヘッド部２１に向かって先細状になっており、その下側の端部は、後述の筒状体４１が装着できるように、中空に成形されている。
ヘッド部２１は、歯茎や口腔内の粘膜に当接するマッサージ部であり、これらの組織を痛めないような材料からできており、支持部２２の上側の先端部に装着されている。
【００１２】
把持部３０は、アタッチメント２０に振動を付与する振動部３１および該振動部を振動させる動力を形成するモーター部３２を収納する筒状体４１とモーター部に電池部からの電力の供給および遮断をするスイッチ部３３と制御部（集積回路）３４を収納する筒状体４２とモーター部３２のモーターに電力を供給する電池部３５を収納する有底の筒状体４３とからなる。そして、筒状体４２には、スイッチ部３３のスイッチが設けられる小孔が穿たれている。
筒状体４１〜４３は、把持部３０のハウジング４０を形成しており、合成樹脂製であるが、一部に装飾用や補強用の金属材などの材料を使用することもできる。
【００１３】
筒状体４１と筒状体４２は、振動部３１、モーター部３２、スイッチ部３３および制御部３４を収納して、振動部３１の振動を確実にアタッチメント１０に付与することができるように一体のものとして成形されている。なお、モーター部３２の下側の一部が筒状体４２に収納されていてもよい。
また、筒状体４２と筒状体４３は、筒状体４３に電池を収納あるいは交換する場合に分離できるようになっている。なお、筒状体４３の下端部に取り外し可能なキャップを設けて、筒状体４３の下端部から電池を出し入れして収納あるいは交換するようにすることもできる。
【００１４】
図１に示す実施形態では、筒状体４１〜４３の外径については、筒状体４１は筒状体４２よりも小径に、筒状体４２は筒状体４３よりも小径にそれぞれ形成され、筒状体４３は、電池を収納できる寸法に形成されているが、径については、これに限らず、例えば筒状体４２と４３の外径を同径にすることもできる。
【００１５】
振動部３１を収納する筒状体４１は、アタッチメント２０の下端部の中空部に嵌め込まれてアタッチメントに装着されて、振動部３１の振動をアタッチメントに伝達できるようになっている。
なお、振動部３１の振動をアタッチメントに伝達する機構は、公知の電動歯ブラシに使用されているものを利用することができる。
筒状体４１に装着されたアタッチメントは、両者を互いに逆方向に捻ることにより、筒状体４１から容易に分離することができるようになっている。  
【００１６】
スイッチ部３３のスイッチは、ＯＦＦスイッチとＯＮスイッチに切り換えることができる。スイッチをＯＮ（オン）にすると、電池から制御部３４に電流が流れ、モーター部３２のモーターを駆動して振動部３１に振動を発生させることができる。
ＯＮスイッチは、比較的振動数の少ない弱振動のＯＮスイッチと比較的振動数が多い強振動のＯＮスイッチの切換可能にすることもできる。
これらの切換はスイッチを１回押すことにより行えるように制御部３４で制御されている。
【００１７】
本考案の口腔内マッサージ器１０は２種のアッタチメントを備えている。図３および図４にそれらを示す。
図３に示すアッタチメント２０は、アタッチメントの２種のうちの１種の実施形態である。なお、図３（ａ）が側面図、図３（ｂ）が正面図を示す。
このヘッド部２１は、片面に複数の突起が形成されており、上側部に２つの曲玉（まがたま）状の突起が互いに逆方向を向いて形成され、下側部には、横方向の棒状突起が一本形成され、その下に横に並ぶ２本の棒状突起が形成されている。
ヘッド部の突起の形態は、マッサージ効果が発現できるものであればどのような形態でもよく、図３に示すものに限らない。また、突起の限らず凹凸でもよい。
【００１８】
このアタッチメントの使用時には、アタッチメントに振動を付与して、主に突起のある面を歯茎に押し当ててマッサージするので、歯肉や歯周組織の毛細血管の血流を良好にすることができる。
このアタッチメントのヘッド部を形成する材料は、口腔内に傷を発生させないもので、かつ歯茎に当てたときに適度に変形するものであれば使用することができる。このような材料としてはシリコン材が望ましい。
【００１９】
図４に示すアタッチメントは、図１にも示されているが、２種のうちの他の１種であり、ヘッド部は球状に形成されている。なお、ここでの球状は楕円球状や紡錘形状やその類似の形状を含むものとする。
このアタッチメントの使用時には、アタッチメントに振動を付与して、ヘッド部の面を歯茎に押し当ててマッサージすることもできるが、主として歯茎以外の口腔内の粘膜に押し当てて使用し、口腔内から口腔の咬筋やほうれい線等の部位周辺の筋肉をストレッチしてマッサージする。
【００２０】
このアタッチメントのヘッド部を形成する材料は、口腔内に傷を発生させないものであって、かつある程度の硬度を有して容易には変形しない、口腔の咬筋やほうれい線等の部位周辺の筋肉をストレッチすることができるものが望ましい。このような材料としては錆が発生しないステンレス鋼材を挙げることができる。
【００２１】
本考案の口腔内マッサージ器は、その把持部が手で把持可能な程度のハンディーな大きさにしている。したがって、家庭のみならず、アタッチメントと筒状部４１、４２を包むキャップを設けて、旅行や職場などに携帯して使用することもできる。
【符号の説明】
【００２２】
１０：口腔内マッサージ器
２０：アタッチメント
２１：ヘッド部
２２：（ヘッド部の）支持部
３０：把持部
３１：振動部
３２：モーター部
３３：スイッチ部
３４：制御部
３５：電池部
４０：把持部ハウジング部
４１：筒状体（振動部とモーター部を収納する）
４２：筒状体（スイッチ部および制御部を収納する）
４３：筒状体（電池部を収納する）
【図１】
0003187462.tif 000003
【図２】
0003187462.tif 000004
【図３】
0003187462.tif 000005
【図４】
0003187462.tif 000006